(57)【要約】      （修正有）【課題】本考案は、収納具の付属部品の紛失や落下等を抑制した収納具を提供するものである。【解決手段】本考案に係る収納具は、第１カバー部１０１と、第１カバー部１０１との対向部を有する第２カバー部１０２と、第１カバー部１０１に設けられる第１磁石１１１ａ、１１１ｂと、第２カバー部１０２に設けられる第２磁石１１２ａ、１１２ｂと、を備え、前記対向部において、第２磁石１１２ａ、１１２ｂは、当該第２磁石の一方の極が前記第１磁石であって当該極と同じ極と対向するように設けられる。【選択図】図６
0003213732.tif 000002
【実用新案登録請求の範囲】
【請求項１】
第１カバー部と、
前記第１カバー部との対向部を有する第２カバー部と、
前記第１カバー部に設けられる第１磁石と、
前記第２カバー部に設けられる第２磁石と、を備え、
前記対向部において、前記第２磁石は、当該第２磁石の一方の極が前記第１磁石であって当該極と同じ極と対向するように設けられる収納具。
【請求項２】
請求項１に記載の収納具であって、
前記第２磁石は、当該第２磁石のＮ極が前記第１磁石のＮ極と対向しかつ当該第２磁石のＳ極が当該第１磁石のＳ極と対向するように設けられる収納具。
【請求項３】
請求項１または２に記載の収納具であって、
第３磁石を有する介装部を備え、
前記第３磁石は、前記第１磁石の前記極と前記第２磁石の前記極とは異なる当該第３磁石の極が当該第１磁石の当該極と当該第２磁石の当該極に挟まれる収納具。
【請求項４】
請求項３に記載の収納具であって、
前記介装部は、筆記するための筆記部を有する収納具。
【請求項５】
請求項３または４に記載の収納具であって、
前記第３磁石は、前記第１磁石及び前記第２磁石よりも弱い磁力である収納具。
【請求項６】
請求項３ないし５に記載のいずれかの収納具であって、
前記第３磁石と前記第１磁石の間または前記第３磁石と前記第２磁石との間に設けられる樹脂製部材を備える収納具。
【考案の詳細な説明】
【技術分野】
【０００１】  本考案は、磁石を用いた収納具に関する。
【背景技術】
【０００２】  書類や小物を収納するための収納具であって、この収納具とともに用いられる付属物、例えば筆記具等を備える。【０００３】  筆記具は、収納具に収納される書類に筆記しようとする際には、収納具自体や収納具の周辺に配置され、筆記具を取り出し、すぐに筆記できるようにすることが便利である。【０００４】  この筆記具を収納具に固定させるために、収納具に貫通孔を設けたものが知られている（特許文献１）。
【先行技術文献】
【特許文献１】実登３０４９３９６号公報
【考案の概要】
【考案が解決しようとする課題】
【０００５】  しかしながら、使用者が筆記具等の付属部品を収納具に戻さずに収納具の使用をやめ、そのまま筆記具を紛失してしまう場合がある。【０００６】  そこで、本考案の課題は、収納具の付属部品の紛失や落下等を抑制した収納具を提供することである。
【課題を解決するための手段】
【０００７】  本考案に係る収納具は、本考案に係る収納具は、第１カバー部と、前記第１カバー部との対向部を有する第２カバー部と、前記第１カバー部に設けられる第１磁石と、前記第２カバー部に設けられる第２磁石と、を備え、前記対向部において、前記第２磁石は、当該第２磁石の一方の極が前記第１磁石であって当該極と同じ極と対向するように設けられる。
【考案の効果】
【０００８】  本考案により、収納具の付属部品の紛失や落下等を抑制することができる。
【図面の簡単な説明】
【０００９】
【図１】本実施形態に係る収納具１００の外観斜視図である。
【図２】図１の矢印方向から見た収納具１００の側面図である。
【図３】第１カバー１０１と第２カバー１０２が面一となるように開いた収納具１００の正面図である。
【図４】本実施形態に係る介装部１３０の正面図である。
【図５】介装部１３０が収納具１００の搭載された状態の正面透視図である。
【図６】図５の矢印方向から見た場合の側面図である。
【考案を実施するための形態】
【００１０】  図１は、本実施形態に係る収納具１００の外観斜視図である。図２は、図１の矢印方向から見た収納具１００の側面図である。図３は、第１カバー１０１と第２カバー１０２が面一となるように開いた収納具１００の正面図である。
【００１１】  第１カバー部１０１の長手方向の一方の辺は、連結部１０３を介して第２カバー部１０２との一方の辺と接続される。なお第１カバー部１０１の短手方向の一方の辺が、連結部１０３を介して第２カバー部１０２との一方の辺と接続されてもよく、第１カバー部１０１及び第２カバー部１０２の形状は任意である。
【００１２】  第１カバー部１０１及び第２カバー部１０２は、軽量化のために厚紙等の樹脂製材料により構成されるが、金属製材料であってもよい。また第１カバー部１０１及び／または第２カバー部１０２が箱状のケースのように形成されていてもよい。ここで「カバー」と表現したのは、収納具によって収納される被収納品を覆うという意味であり、被収納品を覆っていれば本実施形態における「カバー」と同じ機能を有する。
【００１３】  連結部１０３は、第１カバー部１０１及び第２カバー部１０２と一体に構成されて、第１カバー部１０１や第２カバー部１０２と第１屈曲部１０３ａや第２屈曲部１０３ｂを介して接続する。なお連結部１０３は、複数のリング状部材を複数並べて、第１カバー部１０１及び第２カバー部１０２に形成された貫通孔にこれらリング状部材を通すようにしてもよい。
【００１４】  収納具１００は、第１カバー部１０１と第２カバー部１０２の間の空間には、複数の紙等の被収納品を収納する。
【００１５】  第１磁石１１１は、第１磁石１１１ａと第１磁石１１１ｂの２つにより構成され、第１カバー部１０１に設けられる。より具体的には、第１磁石１１１ａと第１磁石１１１ｂは、第２カバー部１０２との対向面を形成する第１カバー部１０１の内側面に設けられる。
【００１６】  第１磁石１１１は、第１磁石１１１ａと第１磁石１１１ｂの２つにより構成され、第１カバー部１０１に設けられる。より具体的には、第１磁石１１１ａと第１磁石１１１ｂは、第２カバー部１０２との対向面を形成する第１カバー部１０１の内側面１０１ａに設けられる。
【００１７】  第２磁石１１２は、第２磁石１１２ａと第２磁石１１２ｂの２つにより構成され、第２カバー部１０２に設けられる。より具体的には、第２磁石１１２ａと第２磁石１１２ｂは、第１カバー部１０１との対向面を形成する第２カバー部１０２の内側面１０２ａに設けられる。
【００１８】  図２及び図３に示されるように、第１磁石１１１ａは、Ｎ極側が第１カバー部１０１側との接続する側になり、Ｓ極側が第２磁石１１２ａと対向する側となるように配置される。
【００１９】  第１磁石１１１ｂは、Ｓ極側が第１カバー部１０１側との接続する側になり、Ｎ極側が第２磁石１１２ｂと対向する側となるように配置される。
【００２０】  第２磁石１１２ａは、Ｎ極側が第２カバー部１０２側との接続する側になり、Ｓ極側が第１磁石１１１ａと対向する側となるように配置される。
【００２１】  第２磁石１１２ｂは、Ｓ極側が第２カバー部１０２側との接続する側になり、Ｎ極側が第１磁石１１１ｂと対向する側となるように配置される。
【００２２】  このように構成されることにより、第１カバー部１０１または第２カバー部１０２が第２カバー部１０２または第１カバー部１０１に近づいて閉じようとする場合、第１磁石１１１ａと第２磁石１１２ａとの間に生じる斥力と、第１磁石１１１ｂと第２磁石１１２ｂとの間に生じる斥力と、により第１カバー部１０１と第２カバー部１０２が閉じにくくなる。
【００２３】  なお第１磁石１１１は第１磁石１１１ａの１つのみにより構成され、第２磁石１１２は第２磁石１１２ａの１つのみにより構成されても良い。
【００２４】  また、第１磁石１１１及び第２磁石１１２のそれぞれの極の位置は、第２磁石１１２の一方の極が当該極と同じである第１磁石１１１の一方の極と対向するように設けられるようにすれば、本実施形態とは逆の極となるように構成しても良い。
【００２５】  また、第１磁石１１１は、第１磁石１１１ａの位置にＳ極が設けられかつ第１磁石１１１ｂの位置にＮ極が設けられるように構成された１本の棒磁石のように構成してもよい。第２磁石１１２についても同様である。
【００２６】  図４は、本実施形態に係る介装部１３０の正面図である。図５は、介装部１３０が収納具１００の搭載された状態の正面透視図である。図６は、図５の矢印方向から見た場合の側面図である。
【００２７】  図４に示されるように、介装部１３０は、本体部１１４と、本体部１１４の一方の端部に設けられる第３磁石１１３と、本体部１１４の他方の端部に設けられる筆記部１１５と、により構成される。
【００２８】  本体部１１４は、介装部１３０を収納具１００から外す場合、または筆記部１１５により筆記する場合に、持ち手となる部分である。本体部１１４は、持ちやすくするためかつ軽量化のために、ゴム材を含んで構成されていても良い。また本体部１１４は、筆記部１１５を取り外せるように構成し、筆記部１１５を鉛筆やボールペン等に変更できるようにしても良い。
【００２９】  第３磁石１１３は、本実施形態においては、本体部１１４に近い側をＳ極１１３Ｓとなるようにかつ本体部１１４に遠い側をＮ極１１３Ｎとなるように設ける。
【００３０】  図５及び図６に示されるように、介装部１３０は、第３磁石１１３のＮ極１１３Ｎが第１磁石１１１ａと第２磁石１１２ａの間に空間に配置されるように、かつ第３磁石１１３のＳ極１１３Ｓが第１磁石１１１ｂと第２磁石１１２ｂの間に空間に配置されるように、収納具１００に磁力により取り付けられる。
【００３１】  図６に示されるように、第３磁石１１３のＮ極１１３Ｎは、その一方の面が第１磁石１１１ａのＳ極との間で引力が生じており、他方の面が第２磁石１１２ａのＳ極との間で引力が生じる。
【００３２】  同様に、第３磁石１１３のＳ極１１３Ｓは、その一方の面が第１磁石１１１ｂのＮ極との間で引力が生じており、他方の面が第２磁石１１２ｂのＮ極との間で引力が生じる。
【００３３】  つまり、介装部１３０が収納具１００に取り付けられた状態では、収納具１００の第１カバー１０１と第２カバー１０２との間に生じていた斥力（図２参照）が無くなるかまたは低減される。
【００３４】  これにより、介装部１３０が収納具１００の第１カバー１０１と第２カバー１０２に取り付けられていない状態では、第１カバー１０１と第２カバー１０２を近づけにくくなっており、収納具１００の使用者は違和感を感じる。この違和感により、使用者が介装部１３０を収納具１００に取り付けることを思い出すように促すことができる。よって、筆記部１１５を設けた介装部１３０の置き忘れたり紛失したりすることを抑制することができる。
【００３５】  また、第１カバー１０１と第２カバー１０２が介装部１３０を介して固定されているため、収納具１００を持ち歩いている時に被収納品や介装部１３０自体を落としてしまったり、風により被収納品を飛散させてしまったりすることを抑制することができる。
【００３６】  また、磁力を利用して第１カバー１０１と第２カバー１０２を固定しているため、介装部１３０や第１カバー１０１や第２カバー１０２の磨耗による劣化を抑制することができる。
【００３７】  また、第３磁石１１３は、第１磁石１１１及び第２磁石１１２よりも弱い磁力により構成してもよい。これにより、第３磁石１１３を有する介装部１３０を第１カバー１０１または第２カバー１０２から大きな力で取り外す必要はなくなる。一方で、介装部１３０は、第１カバー１０１の第１磁石１１１と第２カバー１０２の第２磁石１１２の２つの引力により固定されるため、収納具１００から落下しにくくなっている。
【００３８】  また、第３磁石１１３と第１磁石１１１の間や及び第３磁石１１３と第２磁石１１２の間に、布や樹脂製部材を介在させるようにしてもよい。これにより、介装部１３０の第３磁石１１３を第１磁石１１１や第２磁石１１２に接触させたときの「カチッ」とした不快な音が出ることを抑制することができる。
【００３９】  また、図３に示されるように、第１磁石１１１は第１カバー１０１の内側の右隅に配置され、第２磁石１１２は第２カバー１０２の内側の左隅に配置されているが、第１磁石１１１と第２磁石１１２が対向されているならば、第１カバー１０１や第２カバー１０２の任意の位置でよい。例えば、第１磁石１１１は第１カバー１０１の左辺の中央部付近または下部に配置し、かつ第２磁石１１２は第２カバー１０２の右辺の中央部付近または下部に配置してもよい。これにより、第１カバー１０１や第２カバー１０２に手をかける位置に第１磁石１１１や第２磁石１１２が設けられることで、収納具１００が歪まずに開きやすくなる効果がある。
【符号の説明】
【００４０】１００…収納具、１０１…第１カバー、１０１ａ…内側面、１０２…第２カバー、１０２ａ…内側面、１０３…連結部、１０３ａ…第１屈曲部、１０３ｂ…第２屈曲部、１１１…第１磁石、１１１ａ…第１磁石、１１１ｂ…第１磁石、１１２…第２磁石、１１２ａ…第２磁石、１１２ｂ…第２磁石、１１３…第３磁石、１１３Ｎ…Ｎ極、１１３Ｓ…Ｓ極、１１４…本体部、１１５…筆記部、１３０…介装部
【図１】
0003213732.tif 000003
【図２】
0003213732.tif 000004
【図３】
0003213732.tif 000005
【図４】
0003213732.tif 000006
【図５】
0003213732.tif 000007
【図６】
0003213732.tif 000008